(57)【特許請求の範囲】
【請求項１】
吸込口より室内空気を吸込み、調和された調和空気を前面下部にある吹出口より吹き出す送風ファンと、室内空気の温度を測定する温度センサを有する本体ユニットと、
前記本体ユニットの側部に取付けられ、一側面側にある補助吸込口より室内空気を吸込み、吸込んだ室内空気を前面側にある補助吹出口より吹き出す補助送風ファンを有するファンユニットと、
前記本体ユニットと前記ファンユニットを制御する制御部とを備えた空気調和機において、
前記空気調和機が冷房運転中に、前記温度センサで測定された室内空気の温度が設定温度に達した時、
前記制御部は、前記送風ファンの回転数を下げ、前記補助送風ファンの回転数を上げることを特徴とする空気調和機。
【請求項２】
請求項１に記載の空気調和機において、
前記本体ユニットが室内空気の湿度を測定する湿度センサを有し、
前記空気調和機が冷房運転中に、前記温度センサで測定された温度が設定温度に達した時、
前記制御部は、前記湿度センサで測定された湿度と予め記憶されている設定湿度とを比較し、同湿度が前記設定湿度よりも高い場合、前記送風ファンの回転数を下げ、前記補助送風ファンの回転数を上げることを特徴とする空気調和機。
【請求項３】
請求項１または２に記載の空気調和機において、
前記本体ユニットの前面下部に設けられ、前記吹出口から吹き出される前記調和空気を上下に偏向する上下風向板を備え、
前記ファンユニットは前記補助吹出口より吹き出す室内空気を上下左右方向に変更可能に設けられ、
前記空気調和機が冷房運転中に、前記温度センサで測定された温度が設定温度に達した後、
前記制御部は、前記補助吹出口から吹き出される室内空気の吹出方向が前記吹出口から吹き出される前記調和空気の吹出方向よりも下方になるように、前記ファンユニットの向きを変更することを特徴とする空気調和機。
【発明の詳細な説明】
【技術分野】
【０００１】
本発明は空気調和機に関する。
【背景技術】
【０００２】
空気調和機の室内機として、本体ユニットと本体ユニットの両側部に取付けられた１対のファンユニットを備えたものがある。本体ユニットの内部には、室内熱交換器と、送風ファンが配置されている。この送風ファンが回転することで、室内空気が本体ユニット内に吸込まれ、吸込まれた空気は室内熱交換器で冷媒と熱交換されて調和空気となって室内へ吹き出される。ファンユニットの内部には、補助送風ファンが配置されている。この補助送風ファンが回転することで、室内空気がファンユニット内に吸込まれ、吸込まれた室内空気を吹き出す送風機の役目をしている。（例えば、特許文献１参照。）
【０００３】
特許文献１に記載されている空気調和機は、冷房運転時、室内温度を設定温度にまで近づけるために、本体ユニットから冷気を吹き出して室内温度を下げると共に、ファンユニットから室内空気を吹き出して室内にある空気を撹拌して、冷気を室内全体に行き渡らせる。この冷房運転により、室内温度が設定温度にまで達した場合、本体ユニットの送風ファンが停止し、ファンユニットの補助送風ファンのみが送風するサーモオフ運転に切り替わる。このサーモオフ運転中に室内温度と設定温度との温度差が所定以上になると、空気調和機は冷房運転に戻る。
【先行技術文献】
【特許文献】
【０００４】
【特許文献１】特開２０１４−１４５５６１号公報
【発明の概要】
【発明が解決しようとする課題】
【０００５】
特許文献１では、上述したサーモオフ運転を行なうため、室内の湿度が所定値よりも高かった場合には、このサーモオフ運転では室内の湿気を取り除くことが出来ないという問題があった。また、サーモオフ運転に切り替えずに冷房運転を継続した場合、本体ユニットから吹き出される冷気がユーザーに寒さを感じさせ不快感を与えるおそれがあった。
【０００６】
そこで、本発明は、冷房運転中に室内温度が設定温度に達した後、室内の湿気を取り除くと共に、ユーザーに冷気が直接当たらないようにする空気調和機を提供するものである。
【課題を解決するための手段】
【０００７】
上述した目的を達成するために、本発明の空気調和機は、吸込口より室内空気を吸込み、調和された調和空気を前面下部にある吹出口より吹き出す送風ファンと、室内空気の温度を測定する温度センサとを有する本体ユニットと、前記本体ユニットの側部に取付けられ、一側面側にある補助吸込口より室内空気を吸込み、吸込んだ室内空気を前面側にある補助吹出口より吹き出す補助送風ファンを有するファンユニットと、本体ユニットとファンユニットを制御する制御部とを備えた空気調和機において、空気調和機が冷房運転中に、前記温度センサで測定された室内空気の温度が設定温度に達した時、制御部は、送風ファンの回転数を下げ、補助送風ファンの回転数を上げる。
【０００８】
また、本発明の空気調和機は、本体ユニットが室内空気の湿度を測定する湿度センサを有し、空気調和機が冷房運転中に、温度センサで測定された温度が設定温度に達した時、制御部は、湿度センサで測定された湿度と予め記憶されている設定湿度とを比較し、同湿度が設定湿度よりも高い場合、送風ファンの回転数を下げ、補助送風ファンの回転数を上げる。
【０００９】
さらに、本発明の空気調和機は、本体ユニットの前面下部に設けられ、吹出口から吹き出される調和空気を上下に偏向する上下風向板を備え、ファンユニットは補助吹出口より吹出す室内空気を上下左右方向に変更可能に設けられ、空気調和機が冷房運転中に、温度センサで測定された温度が設定温度に達した後、制御部は、補助吹出口から吹出される室内空気の吹出方向が吹出口から吹き出される調和空気の吹出方向よりも下方になるように、ファンユニットの向きを変更する。
【発明の効果】
【００１０】
以上のような空気調和機によれば、室内温度が設定温度に達した後、ユーザーに不快感を与えずに室内の湿気を取り除くことが出来る。
【図面の簡単な説明】
【００１１】
【図１】本実施例の室内機の外観を概略的に示す斜視図である。
【図２】室内機の構成を概略的に示す分解斜視図である。
【図３】主筐体の正面から見た概略図である。
【図４】送風ファンの構成を概略的に示す室内機の垂直断面図である。
【図５】本実施例の冷房運転時と暖房運転時の室内機の垂直断面図である。
【図６】本実施例の冷房運転の動作を示すフローチャートである。
【発明を実施するための形態】
【００１２】
以下、本発明に係る空気調和機の実施の形態を図面に基づいて説明する。
【００１３】
図１と図２と図４に示すように、本実施例の室内機１０は、直方体形状の本体ユニット２０および１対のファンユニット３０を備える。本体ユニット２０の前面にはアウターパネル２３が配置される。本体ユニット２０の天面側と前面側には室内空気を取り込むための吸込口２１が設けられる。前面側の吸込口２１と対向する位置には前面パネル２４が設けられ、この前面パネル２４はアウターパネル２３に覆われている。図４に示すように、本体ユニット２０の内部には、室内熱交換器２５と、送風ファン２７が配置される。送風ファン２７が回転することで、吸込口２１より室内空気は本体ユニット２０内に吸込まれる。吸込まれた室内空気は室内熱交換器２５で冷媒と熱交換され、調和空気が生成される。生成された調和空気は、本体ユニット２０の前面下部にある吹出口２２に設けられた上下風向板２９ａ、２９ｂで風向を偏向され、吹出口２２より室内へ吹き出される。
【００１４】
ファンユニット３０について、図１と図２と図３を基に説明する。ファンユニット３０は、図１に示すように、本体ユニット２０の両側部にあるサイドファンカバー３５内に収まるように配置される。ファンユニット３０は、本体ユニット２０に対して水平軸線４１回りで回転可能となるように、サイドファンカバー３５に軸支されている。図２に示すように、ファンユニット３０には水平軸線４１方向の外側から室内空気を吸込む補助吸込口３１が配置され、この補助吸込口３１から吸込まれた室内空気を室内空間に吹き出す補助吹出口３２がファンユニット３０の前面側に配置される。また、ファンユニット３０は、室内空気を吸込み、吸込んだ室内空気を吹き出すための補助送風ファン３３を備えている。補助送風ファン３３はファンユニット３０の内部に配置される。補助送風ファン３３にはモータ３４が接続され、このモータ３４によって回転される。
【００１５】
図３に示すように、本体ユニット２０の内部には電装品ユニット２６が配置されている。電装品ユニット２６には、送風ファン２７および補助送風ファン３３を制御する制御部５３と、吸込口２１から吸込まれた室内空気の温度を測定する温度センサ５１、室内空気の湿度を測定する湿度センサ５２が搭載されている。また、図２に示すように、電装品ユニット２６の取付位置は、本体ユニット２０の前面側に、電装品ユニット２６の少なくとも一部が、室内熱交換器２５に対向するように配置され、前面パネル２４に覆われる。この電装品ユニット２６は記憶部５４を備え、室内に居る使用者が快適と感じることができる湿度を予め設定湿度として記憶している。この設定湿度はリモコン等によりユーザーが設定してもよい。
【００１６】
電装品ユニット２６の取付位置が本体ユニット２０の前面側に取付けられることにより、電装品ユニット２６は、送風ファン２７によって吸込口２１から吸込まれた空気が流通する位置に配置されることができる。例えば、図４に示すように、電装品ユニット２６は吸込口２１と室内熱交換器２５の間に配置される。また、電装品ユニット２６に搭載された温度センサ５１および湿度センサ５２は送風ファン２７によって吸込口２１から吸込まれた空気がそれらの周囲を流通することによって、室内の温度および湿度を測定することが出来る。
【００１７】
本体ユニット２０およびファンユニット３０の冷房運転時、暖房運転時の動作について説明する。
【００１８】
冷房運転時は、室内熱交換器２５が空気から吸熱する蒸発器として機能しており、図５（ａ）に示すように、吹出口２２から吹き出される調和空気である冷気は上下風向板２９ａ、２９ｂで水平方向に偏向され吹き出される。このとき補助吹出口３２を水平方向より斜め下方向に向くまでファンユニット３０を回転させることで補助吹出口３２から吹き出される室内空気は、吹出口２２から吹き出される冷気の吹出し方向（水平方向）より斜め下方向に吹き出される。これにより、吹出口２２から吹き出される冷気を室内に居る人に直接当てて寒さによる不快感を与えることを防止し、補助吹出口３２から吹き出される室内空気を室内に居る人に向けて吹き出すことで涼しさを提供することが出来る。制御部５３は、温度センサ５１で測定した室内温度とユーザーが設定した設定温度との温度差に応じて、送風ファン２７と補助送風ファン３３の回転数を制御する。風量自動モードの場合、温度差が大きい場合は送風ファン２７と補助送風ファン３３の回転数を大きくなるように制御し、温度差が小さい場合は送風ファン２７と補助送風ファン３３の回転数を小さくなるように制御する。
【００１９】
暖房運転時は、室内熱交換器２５が空気に放熱する凝縮器として機能しており、図５（ｂ）に示すように、吹出口２２から吹き出される調和空気である暖気は上下風向板２９ａ、２９ｂで偏向され床面に向かって垂直下方に吹き出される。このとき補助吹出口３２を垂直下方よりも前方に向くまでファンユニット３０を回転させることで補助吹出口３２から吹き出される室内空気は、吹出口２２から吹き出される暖気の吹出し方向（垂直下方）よりも前方に吹き出される。補助吹出口３２から吹き出される室内空気の風向は吹出口２２から吹き出される暖気の風向よりも若干上方に向けられているため、補助吹出口３２より吹き出される室内空気で、吹出口２２より吹き出される暖気を上から抑えることができ、暖気の上昇を防いで室内に居る人の足元を暖めることが出来る。冷房運転時と同様に、制御部５３は、温度センサ５１で測定した室内温度とユーザーが設定した設定温度との温度差に応じて、送風ファン２７と補助送風ファン３３の回転数を制御する。風量自動モードの場合、温度差が大きい場合は送風ファン２７と補助送風ファン３３の回転数を大きくなるように制御し、温度差が小さい場合は送風ファン２７と補助送風ファン３３の回転数を小さくなるように制御する。
【００２０】
次に、本実施例の空気調和機が冷房運転中に室内温度が設定温度に到達した時のサーモオフ運転に切り替える動作について、図６に示す制御フローチャートを基に説明する。
【００２１】
最初に、室内機１０が図示しないリモコンから送信された冷房運転の開始を指示する信号を図示しないリモコン受信部で受信すると、制御部５３は冷房運転を開始する（Ｓ１）。具体的には、制御部５３は、上述したように、上下風向板２９ａ、２９ｂを水平にすることで吹出口２２から水平方向に調和空気を吹き出し、そして、ファンユニット３０を回転させることで補助吹出口３２を斜め下方に向けて、補助吹出口３２より室内空気を吹き出す。
【００２２】
次に、制御部５３は、図示しないリモコンから送信された設定温度を取得し（Ｓ２）、また、温度センサ５１で測定している室内温度を取得する（Ｓ３）。制御部５３は、取得した室内温度と設定温度との温度差に応じて、送風ファン２７と補助送風ファン３３の回転数を制御する。風量自動モードの場合、温度差が大きい場合は送風ファン２７と補助送風ファン３３の回転数を大きくなるように制御し、温度差が小さい場合は送風ファン２７と補助送風ファン３３の回転数を小さくなるように制御する。
【００２３】
制御部５３は、Ｓ３で取得した室内温度がＳ２で取得した設定温度以下であるか否かを判断し（Ｓ４）、室内温度が設定温度より高い場合には（Ｓ４−Ｎｏ）、Ｓ３に戻る。また、室内温度が設定温度以下である場合（Ｓ４−Ｙｅｓ）、制御部５３は、湿度センサ５２で測定している室内湿度を取得する（Ｓ５）。
【００２４】
次に、制御部５３は、取得した室内湿度が記憶部５４に記憶されている設定湿度より高いか否かを判断する（Ｓ６）。取得した室内湿度が設定湿度以下である場合には（Ｓ６−Ｎｏ）、制御部５３はサーモオフ運転に切り替える（Ｓ７）。具体的には、制御部５３は、送風ファン２７の回転を停止させて、補助送風ファン３３だけを低回転で回転させる。
【００２５】
また、室内湿度が設定湿度より高い場合には（Ｓ６−Ｙｅｓ）、制御部５３は、送風ファン２７の回転数を、室内温度が設定温度に達した時の送風ファン２７の回転数よりも小さい回転数、例えば予め決められている最小回転数にする（Ｓ８）と共に、吹出口２２から吹き出される調和空気の吹出方向が水平方向に向く角度で上下風向板２９ａ、２９ｂの向きを固定する。また、制御部５３は、補助送風ファン３３の回転数を、室内温度が設定温度に達した時の補助送風ファン３３の回転数よりも大きい回転数、例えば最小回転数から弱回転数にするなど１段階風量の大きい回転数にする（Ｓ９）と共に、補助吹出口３２から吹き出される室内空気の吹出方向が斜め下方向に向く角度で固定する。これにより、湿気のある室内の空気は本体ユニット２０の吸込口２１より吸込まれて、室内熱交換器２５で冷却され湿気を取り除かれた後、吹出口２２より室内に吹き出される。また、送風ファン２７の回転数を最小回転数にすることにより、本体ユニット２０の吸込口２１に吸い込まれる空気の量を最小にして、室内温度の低下を最小限にしている。このように送風ファン２７を小さい回転数に、補助送風ファン３３を大きい回転数にし、除湿を主の目的とした冷房運転である除湿冷房運転を行う。以上より、室内空気の湿気を取り除くことができ、また、補助送風ファン３３から吹き出される室内空気と送風ファンより吹き出される冷気を混ぜることで、ユーザーに寒さを感じさせないで、不快感を与えないようにすることができる。
【００２６】
その後、制御部５３は、再び湿度センサ５２で測定している室内湿度を取得し（Ｓ１０）、再び取得した室内湿度が記憶部５４に記憶されている設定湿度より高いか否かを判断する（Ｓ１１）。室内湿度が設定湿度以下である場合には（Ｓ１１−Ｎｏ）、制御部５３はサーモオフ運転に切り替える（Ｓ７）。また、室内湿度が設定湿度より高い場合には（Ｓ１１−Ｙｅｓ）、制御部５３は室内湿度が設定湿度以下と判断するまで上述した除湿冷房運転を継続して、Ｓ９とＳ１０の作業を繰り返す。
【００２７】
なお、本実施例では冷房運転中に補助送風ファン３３を回転させているが本発明はこれに限定したものではなく、冷房運転中に補助送風ファン３３が停止していた場合、室内温度が設定温度以下になった時、制御部５３は補助送風ファン３３を回転させるように制御する。
【００２８】
以上より、本発明の空気調和機では、冷房運転により室内温度が設定温度に到達した後、ユーザーに不快感を与えずに室内の湿気を取り除くことが出来る。
【符号の説明】
【００２９】
１０    室内機
２０    本体ユニット
２１    吸込口
２２    吹出口
２５    室内熱交換器
２６    電装品ユニット
２７    送風ファン
２８    モータ
３０    ファンユニット
３１    補助吸込口
３２    補助吹出口
３３    補助送風ファン
３４    モータ
３５    サイドファンカバー
５３    制御部
【図１】
0006421667.tif 000002
【図２】
0006421667.tif 000003
【図３】
0006421667.tif 000004
【図４】
0006421667.tif 000005
【図５】
0006421667.tif 000006
【図６】
0006421667.tif 000007